(57)【要約】【課題】ターゲット色空間の選択を変更したときに、最終画像の色（ターゲット色空間の画像の色）をデジタルカメラの表示部上に表示される画像で予想可能にする。【解決手段】例えば、ターゲット色空間をｓＲＧＢ色空間に変更したときであって、表示部２８の色空間がＡｄｏｂｅＲＧＢ色空間であるとき、信号処理部２４によって撮像画像から生成されたターゲット色空間（ｓＲＧＢ色空間）の画像を、マトリクス演算部３０によりＡｄｏｂｅＲＧＢ色空間の画像に変換して表示部２８に供給する。これにより、最終画像の色を、表示部２８に表示された画像の色から予測することができる。【選択図】図１
2008245248.tif 000002
【特許請求の範囲】
【請求項１】
被写体を撮像する撮像部と、
ターゲット色空間を選択するターゲット色空間選択部と、
前記撮像部によって撮像された撮像画像を、前記ターゲット色空間選択部により選択されたターゲット色空間の画像となるように変換する信号処理部と、
表示色空間を選択する表示色空間選択部と、
前記ターゲット色空間選択部によって選択されたターゲット色空間と、前記表示色空間選択部によって選択された表示色空間の異同を比較する比較部と、
前記比較部により、前記ターゲット色空間選択部によって選択されたターゲット色空間と、前記表示色空間選択部によって選択された表示色空間とが異なると判断された場合に、前記ターゲット色空間の画像を前記表示色空間選択部によって選択された前記表示色空間の画像に変換する演算部と、
を備えたことを特徴とする撮像装置。
【請求項２】
被写体を撮像する撮像部と、
ターゲット色空間の異なる撮影モードを選択する撮影モード選択部と、
前記撮像部によって撮像された撮像画像を、前記撮影モード選択部によって選択された撮影モードに対応するターゲット色空間の画像となるように変換する信号処理部と、
表示色空間を選択する表示色空間選択部と、
前記撮影モード選択部によって選択された撮影モードに対応するターゲット色空間と、前記表示色空間選択部によって選択された表示色空間の異同を比較する比較部と、
前記比較部により、前記撮影モード選択部によって選択された撮影モードに対応するターゲット色空間と、前記表示色空間選択部によって選択された表示色空間とが異なると判断された場合に、前記ターゲット色空間の画像を前記表示色空間選択部によって選択された前記表示色空間の画像に変換する演算部と、
を備えたことを特徴とする撮像装置。
【請求項３】
前記撮像装置に着脱可能であって自己を識別する識別情報を有するレンズ部からのレンズ識別情報を受け取ると共に、前記撮影モード選択部による撮影モード選択は、前記レンズ識別情報に基づき選択する
ことを特徴とする請求項２記載の撮像装置。
【請求項４】
前記ターゲット色空間の画像を記録する記録部をさらに備え、前記ターゲット色空間の画像を前記記録部に記録する
ことを特徴とする請求項１〜３のいずれか１項に記載の撮像装置。
【請求項５】
前記ターゲット色空間の画像を出力するための出力端子をさらに備える
ことを特徴とする請求項１から３のいずれか１項に記載の撮像装置。
【請求項６】
前記表示色空間の画像を表示するための表示部をさらに備え、前記表示色空間の画像を前記表示部に表示する
ことを特徴とする請求項１〜３のいずれか１項に記載の撮像装置。
【請求項７】
前記表示部が、自己を識別する識別情報を有し前記撮像装置に着脱可能に構成されているとき、前記表示色空間選択部は、前記表示部の前記識別情報に基づき前記表示色空間を選択する
ことを特徴とする請求項６記載の撮像装置。
【発明の詳細な説明】
【技術分野】
【０００１】
この発明は、ターゲット色空間及び（又は）表示色空間を選択可能な撮像装置に関する。
【背景技術】
【０００２】
従来から、デジタルカメラ等の撮像装置では、撮影中及び撮影後の画像（撮影画像という）を本体の液晶表示部に表示できるようにしたものが多い。
【０００３】
また、撮影モードを、例えば静止画、ＮＴＳＣ動画、又はハイビジョン動画に切り替えて撮像できる撮像装置も提案されている。
【０００４】
さらに、ターゲット色空間を選択可能な撮像装置も提案されている（特許文献１）。
【０００５】
さらにまた、異なる色空間相互の変換についての技術も提案されている（特許文献２）。
【０００６】
さらにまた、撮影画像に対して最適な色空間を選択できるようにした撮像装置も提案されている（特許文献３）。
【０００７】
【特許文献１】特開２００４−９６４００号公報（要約）
【特許文献２】特開２００１−１３６５４３号公報（図６）
【特許文献３】特開２００４−８０７３７号公報（［００４６］）
【発明の開示】
【発明が解決しようとする課題】
【０００８】
しかし、特許文献１に係る撮像装置では、ターゲットとなる出力装置（モニタ）に出力される画像と、撮像装置の表示部に表示される画像の色の一致度が考慮されていない。
【０００９】
また、特許文献２に係る技術においても、撮像装置の表示部に表示される画像の色空間については考慮されていない。
【００１０】
さらに、特許文献３に係る撮像装置では、撮像画像の色がターゲット色空間の色域を超えたときに、超えていることを表示部に表示することが記載されているに過ぎず、特許文献１と同様に、出力される画像と表示部に表示される画像との色の一致度が考慮されていない。
【００１１】
このように上記した従来技術においては、ターゲット色空間を選択して撮像することが可能であるものの、表示部上の画像は、表示部に表示される画像の色再現が考慮されていない（特許文献１，２）、もしくは表示部に最適な色再現の画像を表示するようにしている（特許文献３）ので、この表示部上の画像からターゲット色空間における最終画像の色再現を予測することがきわめて困難であるという問題がある。
【００１２】
この発明はこのような課題を考慮してなされたものであり、撮像部で撮像した被写体の撮像画像について、ターゲット色空間を選択することにより変化する最終画像の色再現を予測可能とした撮像装置を提供することを目的とする。
【００１３】
また、この発明は、ターゲット色空間を切り替えた際に変化する最終画像の色再現を表示部上で予測可能とした撮像装置を提供することを目的とする。
【課題を解決するための手段】
【００１４】
この発明に係る撮像装置は、被写体を撮像する撮像部と、ターゲット色空間を選択するターゲット色空間選択部と、前記撮像部によって撮像された撮像画像を、前記ターゲット色空間選択部により選択されたターゲット色空間の画像となるように変換する信号処理部と、表示色空間を選択する表示色空間選択部と、前記ターゲット色空間選択部によって選択されたターゲット色空間と、前記表示色空間選択部によって選択された表示色空間の異同を比較する比較部と、前記比較部により、前記ターゲット色空間選択部によって選択されたターゲット色空間と、前記表示色空間選択部によって選択された表示色空間とが異なると判断された場合に、前記ターゲット色空間の画像を前記表示色空間選択部によって選択された前記表示色空間の画像に変換する演算部と、を備えたことを特徴とする。
【００１５】
この発明によれば、撮像画像を、選択されたターゲット色空間の画像に変換した後、ターゲット色空間と表示色空間とが異なると判断された場合、前記ターゲット色空間の画像を、表示色空間の画像に変換するようにしているので、選択されたターゲット色空間の最終画像の色を、前記表示色空間の画像（表示画像）から予測可能である。すなわち、ターゲット色空間での色再現を表示画像から予測可能である。
【００１６】
また、この発明に係る撮像装置は、被写体を撮像する撮像部と、ターゲット色空間の異なる撮影モードを選択する撮影モード選択部と、前記撮像部によって撮像された撮像画像を、前記撮影モード選択部によって選択された撮影モードに対応するターゲット色空間の画像となるように変換する信号処理部と、表示色空間を選択する表示色空間選択部と、前記撮影モード選択部によって選択された撮影モードに対応するターゲット色空間と、前記表示色空間選択部によって選択された表示色空間の異同を比較する比較部と、前記比較部により、前記撮影モード選択部によって選択された撮影モードに対応するターゲット色空間と、前記表示色空間選択部によって選択された表示色空間とが異なると判断された場合に、前記ターゲット色空間の画像を前記表示色空間選択部によって選択された前記表示色空間の画像に変換する演算部と、を備えたことを特徴とする。
【００１７】
この発明によれば、撮影画像を、撮影モード選択部によって選択された撮影モードに対応するターゲット色空間の画像に変換した後、前記撮影モード選択部によって選択された前記撮影モードに対応するターゲット色空間と表示色空間選択部によって選択された表示色空間とが異なると判断された場合に、前記ターゲット色空間の画像を前記表示色空間選択部によって選択された表示色空間の画像に変換するようにしているので、選択された撮影モードによるターゲット色空間に対する最終画像の色を、表示色空間の画像（表示画像）から予測可能である。すなわち、撮影モードにより選択されたターゲット色空間での色再現を表示画像から予測可能である。
【００１８】
なお、撮影モードの選択としては、例えば、静止画撮影モード、ＮＴＳＣ動画撮影モード、及びハイビジョン動画撮影モードからの１つの選択が考えられる。
【００１９】
この場合、さらに、前記撮像装置に着脱可能であって、自己を識別する識別情報を有するレンズ部からのレンズ識別情報を受け取ると共に、前記撮影モード選択部による撮影モード選択は、前記レンズ識別情報に基づき撮影モードを選択するようにすることで、着脱可能なレンズ部に適合した撮影モードを自動的に選択することができる。
【００２０】
また、前記ターゲット色空間の画像を記録部に記録して保存することもできる。
【００２１】
さらに、前記ターゲット色空間の画像は出力端子から出力させてもよく、表示部を設け、該表示部の色空間の画像に変換して表示するようにしてもよい。このようにすれば、選択されたターゲット色空間に対する最終画像の色を、表示部に表示される表示画像から予測可能である。すなわち、ターゲット色空間での色再現を表示部上の表示から予測可能である。
【００２２】
さらにまた、前記表示部が、自己を識別する識別情報を有し前記撮像装置に着脱可能に構成されているとき、前記表示色空間選択部は、前記表示部の前記識別情報に基づき前記表示色空間を選択することで、表示色空間を自動的に選択することができる。すなわち、ユーザは表示部の表示色空間を意識することなく、ターゲット色空間の画像を表示部上に表示させることができる。
【発明の効果】
【００２３】
この発明によれば、選択されたターゲット色空間に対する最終画像の色を、表示画像から予測可能である。すなわち、ターゲット色空間での色再現を表示画像から予測することができる。
【００２４】
また、撮像装置の表示部上の表示により、ターゲット色空間を切り替えた際に変化する最終画像の色再現を予測することができる。
【００２５】
さらに、着脱可能なレンズ部が撮像装置に装着されたとき、そのレンズ部に適合した撮影モードを自動的に選択することができる。
【００２６】
さらにまた、着脱可能な表示部が撮像装置に装着されたとき、この表示部の表示色空間に対応したターゲット色空間の画像を該表示部に自動的に表示させることができる。
【発明を実施するための最良の形態】
【００２７】
以下、この発明の実施形態について図面を参照して説明する。
【００２８】
図２Ａは、カラー液晶モニタ等の表示部２８を備える撮像装置１０の外観構成を示している。この実施形態において撮像装置１０は、携帯可能なデジタルカメラである。
【００２９】
図２Ｂは、撮像装置１０に着脱可能な表示部２８を撮像装置１０の本体収容部５０から取り外した状態を示す撮像装置１０の外観構成を示している。
【００３０】
撮像装置１０は、図示しない正面側にレンズ等を有し、背面側に、着脱機構１２の操作により交換可能な表示部２８の他、ファインダー１４、メニューの表示及び選択を決定するメニューキー等を備える。なお、メニューキーの操作により、ターゲット色空間の選択が行われるので、ここでは、メニューキーをターゲット色空間選択部１７と称する。
【００３１】
さらに、撮像装置１０の頭面側には、シャッターキー１８が設けられている。
【００３２】
図１は、図２Ａ、図２Ｂに示した撮像装置１０の電気・光学的構成を示すブロック図である。
【００３３】
図１において、撮像装置１０は、ＲＯＭに内蔵するプログラムを実行することで各種機能を達成するＣＰＵ３６と、レンズとＣＣＤ撮像素子等より構成され被写体を撮像する撮像部２２と、ターゲット色空間を選択するターゲット色空間選択部１７と、撮像部２２によって撮像された撮像画像（デジタルデータ）を、ターゲット色空間選択部１７により選択されたターゲット色空間の画像（デジタルデータ）に変換する信号処理部２４と、前記ターゲット色空間の画像（デジタルデータ）を記録する記憶部としてのメモリ２６と、ＣＰＵ３６によって達成される機能である、表示部２８が特性として備える表示色空間を選択する表示色空間選択部１６と、ターゲット色空間選択部１７によって選択されたターゲット色空間と表示色空間選択部１６によって選択された表示色空間との異同を比較するＣＰＵ３６によって達成される機能である比較部３７と、この比較部３７により、ターゲット色空間選択部１７によって選択されたターゲット色空間と表示色空間選択部１６によって選択された表示色空間とが異なると判断された場合に、前記ターゲット色空間の画像を前記表示色空間の画像に変換するマトリクス演算部（演算部）３０と、信号処理部２４から出力されるターゲット色空間の画像（デジタルデータ）をそのまま表示画像（デジタルデータ）として又はマトリクス演算部３０から出力される表示色空間の画像を表示画像（デジタルデータ）として切り替えコネクタ４０を通じて表示部２８に出力するための切替部３２と、マトリクス演算部３０に設定されているマトリクスから所定のマトリクスを選択するためのマトリクス選択部３４とを備える。なお、ＣＰＵ３６は、撮像装置１０を構成するこれら全ての構成要素を制御する。
【００３４】
切替部３２は、ＣＰＵ３６からの制御信号により共通ポート３２ａがポート３２ｂ又はポート３２ｃ側に切り替えられるセレクタである。
【００３５】
なお、この実施形態において、本体収容部５０（図２Ｂ参照）に収容され撮像装置１０に装着された状態でコネクタ４０を介して該撮像装置１０に接続される表示部２８は、表示色空間としてＡｄｏｂｅＲＧＢ色空間の特性を有するものとする。もちろん、この表示部２８は、着脱機構１２を操作することにより撮像装置１０に対して、他の色空間、例えばｓＲＧＢ色空間等の特性を有する表示部２８に着脱自由（交換可能）に構成されている。
【００３６】
表示部２８が特性として備える色空間は、コネクタ４０を通じてＣＰＵ３６の表示色空間選択部１６ｂにより自動的に識別される。すなわち、図１３を参照して後述する交換レンズと同様に、表示部２８のコネクタ４０に自己の表示色空間を識別する識別部４１が設けられ、表示色空間選択部１６ｂとして機能するＣＰＵ３６が、撮像装置１０の本体収容部５０に装着された表示部２８の識別部４１を読み取ることで、表示色空間選択部１６の機能が達成される。
【００３７】
すなわち、コネクタ４０を通じて識別部４１から読み取られた表示部２８の表示色空間が、表示色空間選択部１６により選択された表示色空間となる。なお、表示色空間選択部１６をターゲット色空間選択部１７と同様に撮像装置１０の外部操作部として設けて、表示色空間を選択するように構成を変更することも可能である。
【００３８】
信号処理部２４から出力されるターゲット色空間の画像は、撮像部２２により撮像された撮像画像がターゲット色空間の画像に変換された画像であり、マトリクス演算部３０から出力される表示画像は、ターゲット色空間の画像が表示色空間の画像に変換された画像である点に留意する。
【００３９】
そのため、例えば、表示部２８が交換可能ではなく撮像装置１０に固定され、かつターゲット色空間と表示部２８の表示色空間とが同一である場合には、図３に示すように、マトリクス選択部３４で単位行列（入力＝出力となるマトリクス）を選択してマトリクス演算部３０に設定し、信号処理部２４から出力されるターゲット色空間の画像と同じ画像を表示画像として表示部２８に表示させる構成の撮像装置１０Ａとすれば、図１の撮像装置１０において切替部３２等を省略することができる。
【００４０】
再び、図１の撮像装置１０において、信号処理部２４の出力側には、信号処理部２４で生成され、メモリ２６に記録されたターゲット色空間の画像（デジタルデータ）を外部表示部等の外部機器４４へ出力するための出力ポート（出力端子）３８（図２Ａ、図２Ｂも参照）が設けられている。
【００４１】
ＣＰＵ３６は、ＣＰＵの他、ＲＯＭ、ＲＡＭ等を含み、上述したように、ＲＯＭに記憶されたプログラムを実行することで、ターゲット色空間選択部１７により選択されたターゲット色空間と、表示部２８の表示色空間との異同を比較する比較部３７等、各種機能実現手段として動作する。
【００４２】
図４は、ｘｙ色度図上の色空間（色域ともいう。）の種別を示しており、細い実線で馬蹄形に描いた色空間は可視領域（単色光軌跡）を示し、想定される全ての色を含む色域であり、太い実線で描いた色空間はＡｄｏｂｅＲＧＢ色空間の範囲を示し、太い点線で描いた色空間はｓＲＧＢ色空間の範囲を示している。
【００４３】
図１、図２Ａ、図２Ｂに例示した撮像装置１０において、ターゲット色空間選択部１７により選択可能な色空間は、ＡｄｏｂｅＲＧＢ色空間又はｓＲＧＢ色空間、又はグレイスケールであるＢ／Ｗ（モノクロ−ム）色空間のいずれかになっている。
【００４４】
ｓＲＧＢ色空間は１９９９年に制定されたもので、その後モニタが技術的に進歩して出せるようになった緑系の高彩度色を含んでいない。ＡｄｏｂｅＲＧＢ色空間は、近年のモニタが出せるようになったそれら緑系の高彩度色も含むように、定められている。
【００４５】
次に、上述した実施形態の動作について、図５、図６に示すフローチャートに基づいて詳しく説明する。なおフローチャートに係るプログラムを実行する主体はＣＰＵ３６であるが、これをその都度参照するのは煩雑になるので必要に応じて参照する。
【００４６】
撮像部２２による撮影に先立ち、まず、図５のステップＳ１において、撮像装置１０の信号処理部２４に設定されるターゲット色空間の設定法が、ターゲット色空間選択部１７を利用して選択される。ターゲット色空間の設定方法の選択は、「ａ  現在の設定を維持（プリセット）」又は「ｂ  撮影ごとに選択」のいずれかである。
【００４７】
ステップＳ１において、「ａ  設定を維持（プリセット）」するが選択された場合、ステップＳ２において、ターゲット色空間選択部１７を利用してターゲット色空間選択動作を行い、ターゲット色空間をプリセットする。この場合、ターゲット色空間選択部１７を操作することにより、表示部２８上に、図７に示すターゲット色空間の選択（指定）を行うための画面４２が表示され、プリセットのターゲット色空間の選択が決定されて、色空間設定法が終了する。なお、画面４２上には、「ＡｄｏｂｅＲＧＢ」、「ｓＲＧＢ」又は「Ｂ／Ｗ」が選択可能に表示されている。
【００４８】
画面４２を利用し、ターゲット色空間選択部１７を操作してターゲット色空間を決定した場合、四角枠で囲まれているＡｄｏｂｅＲＧＢがターゲット色空間としてプリセットされる。なお、図７では、ターゲット色空間の選択を３種類としているが、この発明はこの３種類に限定するものではない。例えば、ｘｖＹＣＣ色空間を選択できるようにしてもよい。
【００４９】
一方、ステップＳ１において、「ｂ  撮影ごとに選択」するが選択された場合、ターゲット色空間はプリセットされないで色空間設定方法が終了する。
【００５０】
次に、実際の撮影時に、図６のステップＳ１１において、ターゲット色空間がプリセットされているかどうかが判断され、ステップＳ２の処理が行われないでプリセットされていなかった場合には、ステップＳ１２において、ターゲット色空間選択部１７により、図７に示した画面４２が表示され、例えば「ＡｄｏｂｅＲＧＢ（デフォルト）」又は「ｓＲＧＢ」のいずれかがターゲット色空間、すなわち、信号処理部２４により作成されメモリ２６に記録されるターゲット色空間の画像（デジタルデータ）の色空間であって、必要に応じて出力ポート３８から出力される画像（デジタルデータ）の色空間として選択される。
【００５１】
次いで、ステップＳ１３において、シャッターキー１８が押されて撮影される。
【００５２】
次いで、ステップＳ１４において、ターゲット色空間の選択（特性）が確認されるとともに、表示部２８の表示色空間との異同が比較される。上記したように、図１例の撮像装置１０において表示部２８の表示色空間はＡｄｏｂｅＲＧＢ色空間の特性を有する表示モニタが装着されている。
【００５３】
この場合、ステップＳ１４において、メモリ２６に記録するため又は出力ポート３８から外部機器４４に出力するためのターゲット色空間としてＡｄｏｂｅＲＧＢ色空間が選択されていた場合には、ターゲット色空間と表示色空間とが一致するので、ステップＳ１５において、切替部３２の共通ポート３２ａが信号処理部２４に直結しているポート３２ｃ側に切り替えられて、ＡｄｏｂｅＲＧＢ色空間の画像（デジタルデータ）が表示画像（デジタルデータ）として信号処理部２４から表示部２８側に供給される。
【００５４】
この際、ステップＳ１７において、図示しない画素数変換部｛信号処理部２４及び（又は）表示部２８内に設けられる｝により間引かれたＡｄｏｂｅＲＧＢ色空間の画像（デジタルデータ）が表示画像（デジタルデータ）として表示部２８に供給され、ステップＳ１８において、ＡｄｏｂｅＲＧＢ色空間の特性を有する表示部２８上に、信号処理部２４で生成されたＡｄｏｂｅＲＧＢ色空間の画像（デジタルデータ）による表示画像（絵）が表示される。このようにしてターゲット色空間に選択されているＡｄｏｂｅＲＧＢ色空間の画像がＡｄｏｂｅＲＧＢ色空間の特性を有する表示部２８上に表示される。
【００５５】
その一方、ステップＳ１４（Ｓ２、Ｓ１２）の判断において、メモリ２６に記録するため又は出力ポート３８から外部機器４４に出力するためのターゲット色空間として、ＡｄｏｂｅＲＧＢ色空間とは異なる、例えばｓＲＧＢ色空間が選択されていた場合には、ＣＰＵ３６は、ターゲット色空間と表示色空間とが異なることを考慮し、ステップＳ１６において、信号処理部２４により、撮像画像（デジタルデータ）からターゲット色空間であるｓＲＧＢ色空間の画像（デジタルデータ）を生成し、メモリ２６に記憶する。
【００５６】
この場合、表示部２８は、ＡｄｏｂｅＲＧＢ色空間の特性を有するので、信号処理部２４で生成されたｓＲＧＢ色空間の画像（デジタルデータ）をそのまま表示部２８に供給すると、このときの外部機器４４であるユーザが望んでいるｓＲＧＢモニタに出力したときの色とは異なった色に表示される。
【００５７】
この問題を解決するために、ステップＳ１９において、ＣＰＵ３６は、マトリクス選択部３４を通じて、ｓＲＧＢ色空間の特性を備えるターゲット色空間表示部としての外部機器４４に出力したときの色がＡｄｏｂｅＲＧＢの表示色空間の特性を有する表示部２８上で近似的に見える（予測できる）ようにするマトリクスを選択し、マトリクス演算部３０に設定する。
【００５８】
ここで、マトリクス演算部３０に設定されるマトリクスの具体例について説明すると、マトリクスの入力としてのｓＲＧＢ色空間の画像（デジタルデータ）の３原色をＲＧＢ（３行１列：マトリクス［Ｉ］と表す。）、マトリクスの出力としてのＡｄｏｂｅＲＧＢ色空間の表示画像（デジタルデータ）の３原色をＲ´Ｇ´、Ｂ´（３行１列：マトリクス［Ｉ´］と表す。）とすると、マトリクスは、次の（１）、（２）式のように表すことができる。なお、（２）式は、（１）式の行列式を展開した形式で記載している。この場合、変換用の３行３列のマトリクスの係数Ａ１１、Ａ１２、Ａ１３、Ａ２１、Ａ２２、Ａ２３、Ａ３１、Ａ３２、Ａ３３（［Ａ］と表す。）は、予め作成してＲＯＭに記憶させておくことができる。
［Ｉ´］＝［Ａ］［Ｉ］                                      …（１）
Ｒ´＝Ａ１１・Ｒ＋Ａ１２・Ｇ＋Ａ１３・Ｂ
Ｇ´＝Ａ２１・Ｒ＋Ａ２２・Ｇ＋Ａ２３・Ｂ                  …（２）
Ｂ´＝Ａ３１・Ｒ＋Ａ３２・Ｇ＋Ａ３３・Ｂ
【００５９】
ここで、切替部３２により共通ポート３２ａとポート３２ｂが接続されるように切り替えられているので（図１に示す位置）、ステップＳ１９において、信号処理部２４で生成されたターゲット色空間用の画像（デジタルデータ：Ｒ、Ｇ、Ｂ）が、（１）、（２）式に基づき、マトリクス演算部３０によりＡｄｏｂｅＲＧＢ色空間に近似した表示画像（デジタルデータ：Ｒ´、Ｇ´、Ｂ´）に変換され、ステップＳ１７の画素数変換後に、表示部２８に供給される。
【００６０】
このように制御することで、ステップＳ１８において、図１例のＡｄｏｂｅＲＧＢ色空間を表現する表示部２８を備えた撮像装置１０で、ｓＲＧＢ色空間をターゲット色空間とする撮影を行った場合でも、結果、すなわち外部機器４４のｓＲＧＢモニタに表現される色を、撮像装置１０の表示部２８上で再現して確認することができる。
【００６１】
以上説明したように、上述した実施形態によれば、図１に示すように、撮像装置１０は、ターゲット色空間選択部１７と、ターゲット色空間選択部１７により選択されたターゲット色空間の画像（デジタルデータ）を生成する信号処理部２４と、表示部２８とを備え、ターゲット色空間選択部１７により選択されたターゲット色空間と、表示部２８の表示色空間との異同を比較する比較部３７（ステップＳ１４）により、ターゲット色空間選択部１７により選択されたターゲット色空間（例えばｓＲＧＢ色空間）と表示部２８の表示色空間（例えばＡｄｏｂｅＲＧＢ色空間）とが異なると判断された場合に、信号処理部２４により生成されたターゲット色空間、この場合ｓＲＧＢ色空間の画像（デジタルデータ）を、演算部としてのマトリクス演算部３０により表示部２８の色空間（ＡｄｏｂｅＲＧＢ色空間）の画像（デジタルデータ）に変換し、変換した表示画像を表示部２８上に表示するようにしている。
【００６２】
このように、表示部２８上に、ターゲット色空間選択部１７により選択されたターゲット色空間の画像を表示するようにしているので、ターゲット色空間選択部１７によってターゲット色空間の選択が変更されたとき、表示部２８の色空間を考慮し、ターゲット色空間と表示部２８の色空間が同一である場合には、信号処理部２４の出力を直接表示部２８に供給するように接続する（３２ｃ→３２ａ→４０）一方、ターゲット色空間と表示部２８の色空間が異なる場合には、信号処理部２４の出力であるターゲット色空間の画像をマトリクス演算部３０により表示色空間の画像に変換して表示部２８に供給するように接続している（３２ｂ→３２ａ→４０）。このため、ターゲット色空間の選択を変更した場合においても、最終画像の色、すなわち、ターゲット色空間の画像の色を、表示部２８に表示される画像から予測可能である。換言すれば、ターゲット色空間での色再現を表示部２８上の表示から予測可能である。
【００６３】
なお、撮像装置１０では、撮影中の動画並びに撮影後の静止画又は動画に対応するターゲット色空間の撮影画像を表示部２８上に表示することが可能である。
【００６４】
もし、表示部２８がｓＲＧＢ色空間に対応した（ｓＲＧＢ色空間のみを表示できる）表示モニタであった場合で、信号処理部２４でターゲット色空間としてＡｄｏｂｅＲＧＢ色空間の画像（デジタルデータ）が生成された場合には、表示部２８に表示できない色が発生することになる。しかしながら、被写体中の全ての色が表現できない訳ではなく、大半の色、被写体によっては全ての色を表示部２８で表現できるので、上記（１）式と同様なマトリクスの係数を予め作成しておき、マトリクス演算部３０により変換を行うことにより、ＡｄｏｂｅＲＧＢ色空間の表示画像（デジタルデータ）を、ｓＲＧＢを表現する表示部２８上で再現することで色の傾向を確認することができる。
【００６５】
図８は、他の実施形態に係る撮像装置１０Ｂの構成を示すブロック図である。図８に示す撮像装置１０Ｂにおいて、図１に示した撮像装置１０に示したものと同一の構成要素又は対応する構成要素には同一の符号を付けてその詳細な説明は省略する。基本的には、図８に示す撮像装置１０Ｂは、図１に示した撮像装置１０に比較して、撮影モード選択部１９と、マトリクス選択部３４Ａと、ＣＰＵ３６のＲＯＭに格納されるプログラムが異なる。
【００６６】
この撮像装置１０Ｂには、静止画、ＮＴＳＣ動画、ハイビジョン動画（高精細動画）の３つの撮影モードを切り替えて使用するための撮影モード選択部１９が設けられている。マトリクス選択部３４Ａは、マトリクス演算部３０に設定するマトリクスの係数として、ｓＲＧＢ色空間からＡｄｏｂｅＲＧＢ色空間への変換用、及びＮＴＳＣＲＧＢ（ＮＴＳＣ）色空間からＡｄｏｂｅＲＧＢ色空間への変換用の係数を選択できる。
【００６７】
図９のフローチャートに示すように、準備動作として、メニュー画面表示処理（ステップＳ２１）と、撮影モード選択動作処理（ステップＳ２２）が実行されることで、図１０に示す設定メニュー画面６０で、ターゲット色空間の異なる撮影モードとして、静止画、ＮＴＳＣ動画、又はハイビジョン動画のいずれかの撮影モードを選択することができる。
【００６８】
図１１は、ｘｙ色度図上の色空間（色域ともいう。）の種別を示しており、細い実線で馬蹄形に描いた色空間は可視領域（単色光軌跡）を示し、想定される全ての色を含む色域であり、太い実線で描いた色空間はＡｄｏｂｅＲＧＢ色空間、太い点線で描いた色空間はｓＲＧＢ色空間、太い一点鎖線で描いた色空間はＮＴＳＣＲＧＢ色空間である。なお、静止画のターゲット色空間はｓＲＧＢ色空間、ＮＴＳＣ動画のターゲット色空間はＮＴＳＣＲＧＢ空間、ハイビジョン動画のターゲット色空間はＡｄｏｂｅＲＧＢ色空間に対応するものとしている。
【００６９】
撮像装置１０Ｂの表示部２８上に、選択した撮影モードに対応したターゲット色空間の表示画像を表示することができるようになっているが、表示部２８はＡｄｏｂｅＲＧＢ色空間を表示できるモニタ（ＡｄｏｂｅＲＧＢに対応したモニタでＡｄｏｂｅＲＧＢのみを表示できるモニタ）であるものとする。
【００７０】
図１２のフローチャートに基づき他の実施形態に係る撮像装置１０Ｂの動作を説明すると、ステップＳ３１において、シャッターキー１８が押されて撮影がなされると、ステップＳ３２において、撮影モードが判断される。
【００７１】
ステップＳ３２において、ユーザが撮影モードとしてハイビジョン動画が選択されていた場合、撮像装置１０Ｂの信号処理部２４では、ターゲット色空間の画像（デジタルデータ）として、ＡｄｏｂｅＲＧＢモニタである表示部２８に表示したときに丁度良い見えになるように色づくりしたＡｄｏｂｅＲＧＢ色空間の画像（デジタルデータ）を生成するので、ステップＳ３３において、変換を加えないそのままのＡｄｏｂｅＲＧＢ色空間の画像（デジタルデータ）が、切替部３２のポート３２ｃ、共通ポート３２ａを通じて表示画像（デジタルデータ）として表示部２８に供給される。実際には、ステップＳ３６の画素数変換処理を経てステップＳ３７において、メモリ２６に記録前あるいは記録後のＡｄｏｂｅＲＧＢ色空間の画像であるハイビジョン動画を表示部２８上に表示することができる。
【００７２】
一方、ユーザが撮影モードとして静止画を選択していると、信号処理部２４では、ターゲット色空間の画像としてｓＲＧＢ色空間の画像（デジタルデータ）を生成するので、ステップＳ３４において、マトリクス選択部３４Ａがマトリクス演算部３０に対してｓＲＧＢからＡｄｏｂｅＲＧＢへの変換用のマトリクス係数を設定する。マトリクス演算部３０は、外部のｓＲＧＢモニタに表示したときに丁度良い見えになるように色作りした（マトリクス演算部３０で変換した）表示画像をポート３２ｂ、共通ポート３２ａを通じて表示部２８に出力する。
【００７３】
また、ユーザが撮影モードとしてＮＴＳＣ動画を選択していると、信号処理部２４では、ターゲット色空間の画像としてＮＴＳＣＲＧＢ空間の画像（デジタルデータ）を生成するので、ステップＳ３５において、マトリクス選択部３４Ａがマトリクス演算部３０に対してＮＴＳＣＲＧＢからＡｄｏｂｅＲＧＢへの変換用のマトリクス係数を設定する。マトリクス演算部３０は、外部のＮＴＳＣモニタに表示したときに丁度良い見えになるように色作りした（マトリクス演算部３０で変換した）表示画像を表示部２８に出力する。
【００７４】
なお、マトリクス演算部３０での変換方法は、最初の実施形態で（１）式を参照して説明した３行３列の行列演算で行うことができる。
【００７５】
他の実施形態に係る撮像装置１０Ｂは、図８に示すように、ターゲット色空間の異なる撮影モード選択部１９と、撮影モード選択部１９により選択されたターゲット色空間の画像を生成する信号処理部２４と、表示部２８とを備え、さらに、撮影モード選択部１９により選択された撮影モードのターゲット色空間と表示部２８の表示色空間との異同を比較するＣＰＵ３６の比較部３７により、撮影モード選択部１９により選択された撮影モードのターゲット色空間と表示部２８の表示色空間とが異なると判断された場合に、信号処理部２４により生成されたターゲット色空間の画像を、表示部２８の表示色空間の画像に変換するマトリクス演算部３０を備えている。
【００７６】
このように、表示部２８上に、撮影モード選択部１９により選択された撮影モードのターゲット色空間の撮影画像（信号処理部２４により生成されたターゲット色空間の画像）、又は、ターゲット色空間に対応して変換された撮影画像（信号処理部２４により生成されたターゲット色空間の画像をマトリクス演算部３０で変換した表示画像）を切り替えて表示できるようにしているので、撮影モードの選択を変更したときに、最終画像の色が、表示部２８に表示される画像から予測可能である。すなわち、撮影モードにより選択されたターゲット色空間での色再現を表示部２８上の表示から予測可能である。
【００７７】
なお、撮影モードの選択としては、上述した静止画撮影モード、ＮＴＳＣ動画撮影モード、及びハイビジョン動画撮影モードからの１つの選択が考えられる。
【００７８】
この場合、図１３の撮像装置１０Ｃに示すように、さらに、静止画撮影モード、ＮＴＳＣ動画撮影モード、及びハイビジョン動画撮影モードの各撮影モードに対応して準備され自己を識別する識別部６４を有する撮像装置１０Ｃの本体に装着可能な交換レンズ（レンズ部）６２を有し、撮影モード選択部１９Ａとして機能するＣＰＵ３６がマトリクス選択部３４Ｂを通じて、装着された交換レンズ６２の識別部６４に応じた撮影モードを選択するようにすることで（マトリクス演算部３０に、撮影モードに対応したマトリクスを設定することで）、交換レンズ６２に適合した撮影モードを自動的に選択することができる。なお、交換レンズ６２の撮影モードの自動識別は、交換レンズ６２及び本体側のレンズマウントに付けられている複数の電子接点である識別部６４を利用してＣＰＵ３６の前記の撮影モード選択部１９Ａにより行うことができる。
【００７９】
この発明は、上述の実施形態に限らず、この明細書の記載内容に基づき、種々の構成を採り得ることはもちろんである。
【図面の簡単な説明】
【００８０】
【図１】この発明の実施形態に係る撮像装置のブロック図である。
【図２】図２Ａは、カラー液晶モニタ等の表示部を備える撮像装置の外観構成図、図２Ｂは、撮像装置に着脱可能な表示部を撮像装置の本体収容部から取り外した状態を示す撮像装置の外観構成図である。
【図３】図１に示した撮像装置の変形例のブロック図である。
【図４】ｘｙ色度図上の色空間の種別を示す説明図である。
【図５】図１例の動作説明に供されるフローチャート（その１）である。
【図６】図１例の動作説明に供されるフローチャート（その２）である。
【図７】ターゲット色空間の選択（指定）を行うための画面の説明図である。
【図８】他の実施形態に係る撮像装置のブロック図である。
【図９】図８例の動作説明に供されるフローチャート（その１）である。
【図１０】撮影モードの選択（指定）を行うための画面の説明図である。
【図１１】ｘｙ色度図上の色空間の種別を示す説明図である。
【図１２】図８例の動作説明に供されるフローチャート（その２）である。
【図１３】さらに他の実施形態に係る撮像装置のブロック図である。
【符号の説明】
【００８１】
１０、１０Ａ〜１０Ｃ…撮像装置          １４…ファインダー
１６、１６ｂ…表示色空間選択部          １７…ターゲット色空間選択部
１８…シャッターキー                    １９、１９Ａ…撮影モード選択部
２２…撮像部                            ２４…信号処理部
２６…メモリ                            ２８…表示部
３０…マトリクス演算部                  ３２…切替部
３４、３４Ａ、３４Ｂ…マトリクス選択部  ３６…ＣＰＵ
３８…出力ポート
【図１】
2008245248.tif 000003
【図２】
2008245248.tif 000004
【図３】
2008245248.tif 000005
【図４】
2008245248.tif 000006
【図５】
2008245248.tif 000007
【図６】
2008245248.tif 000008
【図７】
2008245248.tif 000009
【図８】
2008245248.tif 000010
【図９】
2008245248.tif 000011
【図１０】
2008245248.tif 000012
【図１１】
2008245248.tif 000013
【図１２】
2008245248.tif 000014
【図１３】
2008245248.tif 000015